(57)【要約】【課題】ポータブル・トイレの手すりの耐久性、安全性、利便性を確保すると共に、使用者、介護者の負担を軽減する。【解決手段】ポータブル・トイレ１は、両側に形成される左右一対の側面部２と、一対の側面部２に前後方向に形成される左右一対のレール３，４と、を備えた便器部５と、Ｌ字形状に形成されて側面部２に固定されたレール３，４に着脱自在に嵌合する嵌合部６，７を備え、下端が接地する左右一対の手すり８と、レール３，４に嵌合部６，７を所望の前後位置で位置決めする左右１対のノブ９，１０とを備え、レール３，４と嵌合部６，７の嵌合状態において手すり８を前方向に前進させ、手すり８が便器部５から前方に突出した状態で、ノブ９，１０により手すり８を便器部５に固定し、手すり８が前進した状態から手すり８を後方向に後退させて、手すり８を便器部５の前記側面部にある状態でノブ９，１０により、手すり８を便器部５に固定する。【選択図】        図５
2006325727.tif 000002
【特許請求の範囲】
【請求項１】
両側に形成される左右一対の側面部と、該一対の側面部に前後方向に形成される左右一対のレールと、を備える便器部と、
前記左右一対のレールに着脱自在に嵌合する左右一対の嵌合部を備えるとともに、下端が接地する左右一対の手すりと、
前記レールに前記嵌合部を所望の前後位置で位置決めする固定手段と、を設け、
前記レールと前記嵌合部の嵌合状態において、前記手すりを前方向に前進させて、前記手すりが前記便器部から前方に突出した状態で、前記固定手段により、前記手すりを前記便器部に固定し、
一方、前記手すりが前進した状態から、前記手すりを後方向に後退させて、前記手すりが前記便器部の前記側面部にある状態で、前記固定手段により、前記手すりを前記便器部に固定することを特徴としたポータブル・トイレ。
【請求項２】
前記手すりが、所定間隙をおいて形成される一対の支柱と、該支柱を少なくとも上下で連結する上下一対の水平材とを備え、前記水平材の下材が地面に接地し、前記水平材の上材が手すりとなる請求項１のポータブル・トイレ。
【請求項３】
便器部の背面に取付けられる背もたれを備え、
前記背面の上面の高さと、前記手すりの上面の高さを略同一にする請求項１又は２のポータブル・トイレ。
【請求項４】
前記レールと前記嵌合部とが、上下２段に形成される請求項１ないし３いずれかのポータブル・トイレ。
【請求項５】
前記背もたれと手すりの間に手指が挟まらないような間隙に設定される請求項１ないし４いずれかのポータブル・トイレ。
【請求項６】
前記嵌合部が前記レールから離脱しない限界位置を規制するストッパを備えた請求項１ないし５いずれかのポータブル・トイレ。
【発明の詳細な説明】
【技術分野】
【０００１】
本発明は、ポータブル・トイレに関し、特に、使用者の体重を支持する手すりの構造に関するものである。
【背景技術】
【０００２】
従来、特許文献１〜４に示す通り、支柱の上端部に取り付けられた、左右一対の手すりを後方側に跳ね上げることにより、便器部の側方から退避させ得るようにした構造の発明が開示されている。これにより、便器部への移乗の際に手すりが邪魔にならず介護も容易に行うことができる。
また、特許文献５〜７に示す通り、手すりを上下に移動する構造を備える発明が開示されている。
更に、特許文献８〜１０に示す通り、手すりが左右に揺動する構造を備える発明が提案されている。
【０００３】
【特許文献１】特開平１１−３０９０８４号公報
【特許文献２】特開平３−１２６４１７号公報
【特許文献３】特開２００４−１０８０１３公報
【特許文献４】特開２００４−３１３７３４公報
【特許文献５】特開平１０−２０１６７３号公報
【特許文献６】特開平１１−１６９３２１号公報
【特許文献７】実用新案登録第３０９１５７１号公報
【特許文献８】実開平３−７７９６号公報
【特許文献９】特開２００３−２７５１４７公報
【特許文献１０】特開２００４−４９５７１公報
【発明の開示】
【発明が解決しようとする課題】
【０００４】
しかしながら、使用者が立ち上がるときに、便器部の手すりには使用者の体重がまともに加わるため、特許文献１〜１０の構造では、手すりや手すりを支持する支持部材が壊れやすいという問題がある。また、高齢者などの使用者は、力がない場合がほとんどであり、便器部への着座或いは便器部からの立ち上がりには介護者の援助が必要であるが、特許文献１〜１０の構造では、介護者に使用者の体重がまともに掛かり、介護者に過重な負担が加わるという問題がある。
【０００５】
本発明は、上記点に鑑み、ポータブル・トイレの手すりの耐久性、安全性、利便性を確保すると共に、使用者の負担を軽減することを目的とする。
【課題を解決するための手段】
【０００６】
上記目的を達成するため、請求項１の発明は、両側に形成される左右一対の側面部と、該一対の側面部に前後方向に形成される左右一対のレールと、を備える便器部と、前記左右一対のレールに着脱自在に嵌合する左右一対の嵌合部を備えるとともに、下端が接地する左右一対の手すりと、前記レールに前記嵌合部を所望の前後位置で位置決めする固定手段と、を設け、前記レールと嵌合部の嵌合状態において、前記手すりを前方向に前進させて、前記手すりが前記便器部から前方に突出した状態で、前記固定手段により、前記手すりを前記便器部に固定し、一方、前記手すりが前進した状態から、前記手すりを後方向に後退させて、前記手すりが前記便器部の前記側面部にある状態で、前記固定手段により、前記手すりを前記便器部に固定することを特徴としたポータブル・トイレである。
【０００７】
請求項２の発明は、前記手すりが、所定間隙をおいて形成される一対の支柱と、該支柱を少なくとも上下で連結する上下一対の水平材とを備え、前記水平材の下材が地面に接地し、前記水平材の上材が手すりとなる請求項１のポータブル・トイレである。
【０００８】
請求項３の発明は、便器部の背面に取付けられる背もたれを備え、前記背面の上面の高さと、前記手すりの上面の高さを略同一にする請求項１又は２のポータブル・トイレである。
【０００９】
請求項４の発明は、前記レールと前記嵌合部とが、上下２段に形成される請求項１ないし３いずれかのポータブル・トイレである。
【００１０】
請求項５の発明は、前記背もたれと前記手すりの間に手指が挟まらないような間隙に設定される請求項１ないし４いずれかのポータブル・トイレである。
【００１１】
請求項６の発明は、前記嵌合部が前記レールから離脱しない限界位置を規制するストッパを備えた請求項１ないし５いずれかのポータブル・トイレである。
【発明の効果】
【００１２】
請求項１の発明によれば、手すりが破壊せず、安全性が高い。固定手段により位置決めができるので、安全である。
使用者の体格・障害の程度によって手すりの位置を調整できる。使用者が便座へ着座するとき或いは着座している間、簡単に手すりの前後位置の調節ができる。
使用者が便器部に座るとき、或いは、便器部から立ち上がるときに、使用者の上半身が前方に傾斜した状態で手すりで使用者の体重を支持できる。人間工学的観点から、使用者の上半身が１１０〜１３０度位の前傾姿勢になる方が座りやすく、また、立ち上がりやすい。手すりが便器部の前部より突出することにより、使用者の上半身が前傾姿勢で手すりに掴ることができるので、高齢者でも、それほど力を使わずに利用でき、また、介護者に過重な負担がかからない。また排便姿勢時に使用者の重心を前方で支えられる。
片側の手すりだけでも使用できる。ベッドサイドなどで使用する際、一方の手すりが邪魔になってしまうこともある為、取外すことができる。たとえば、使用者がベッドから立ち上がらなくても、便器部５までいざることができる。
手すりの脱着作業が容易である。手すりを便器部から取り外すときには、固定手段を解除し手すりをスライドするだけでよいし、手すりを便器部に取り付けるときは、手すりをスライドさせて固定手段で取り付けるだけでよい。また、左右の手すりの構造が共通であるので、両方の手すりを取り外した後、再度取り付ける際に迷うことなく取り付けることができる。
【００１３】
請求項２の発明によれば、使用者の重心位置と支柱とを垂直線上にあるようにできるので、手すりに加わる使用者の荷重が床面に対して垂直方向に加わるので、便器部が容易に転倒せず、使用者が安心して立ち座りできる。
【００１４】
請求項３の発明によれば、使用者が伝い歩きができる。
【００１５】
請求項４の発明によれば、レールが上下２段式になっており、上下２段に固定するので、安全性が高い。
【００１６】
請求項５の発明によれば、手すりと背もたれの隙間を手指より大きくすることにより、指の挟み込みを回避できる
【００１７】
請求項６の発明によれば、ストッパー付のためスライド時に手すりの抜け落ちを防止できる。
【発明を実施するための最良の形態】
【００１８】
以下に、本発明の好適な実施形態について図面を参照して説明する。尚、本発明の実施の形態は、下記の実施形態に何ら限定されるものではなく、本発明の技術的範囲に属する限り、種々の形態を採り得ることは無論である。
【００１９】
本実施形態のポータブル・トイレ１は、図１〜図６に示す通り、両側に形成される左右一対の側面部２と、該一対の側面部２に前後方向にぞれぞれ形成され上下２段に形成される左右一対のレール３，４と、を備える、直方体形状に形成された便器部５を備えている。レール３，４はＬ字形状に形成されてビス等の金具３ａ，４ａで側面部２に固定されている。また、ポータブル・トイレ１は、レール３，４に着脱自在に嵌合する２段に形成されたＬ字形状金具に形成された嵌合部６，７を備えるとともに、その下端が接地する左右一対の手すり８と、レール３，４に嵌合部６，７を所望の前後位置でそれぞれ位置決めする固定手段としての左右１対のボルト付きのノブ９，１０を設けている。図５〜図６に示す通り、レール３，４と嵌合部６，７の嵌合状態において、手すり８を前方向に前進させて、手すり８が便器部５から前方に突出した状態で、ノブ９，１０により、手すり８を便器部５に固定するように構成されている。一方、図３、図４。図６に示す通り、手すり８が前進した状態から、手すり８を後方向に後退させて、手すり８が便器部５の前記側面部にある状態で、ノブ９，１０により、手すり８を便器部５に固定するようにも構成されている。
【００２０】
手すり８は、所定間隙をおいて前後方向に形成される一対の支柱１１，１２と、支柱１１，１２を上中下で連結する上中下一対の水平材１３〜１５とを備えている。下材１５の裏面のノブ付きボルト１６，１７が地面に接地し、上材１３が手すりとなる。中材１４と下材１５とを連結板１８で連結してあり、連結板１８にノブ９，１０が水平に取り付けられている。下材１５の底面に支持板１９が固定されている。
【００２１】
便器部５は、側面部２から上方後方に延び出すようにビス等で取付けられる一対の支持材２０，２１と支持材２０，２１を連結するクッション２２と、を設けた背もたれ２３を備えている。背もたれ２３の上面の高さと、手すり８の上面の高さを同一或いは略同一にし、使用者が伝い歩きできるようになっている。
【００２２】
背もたれ２３と手すり８の間に手指が挟まらないような間隙に設定される。
【００２３】
嵌合部６，７がレール３，４から離脱しない限界位置を規制するストッパ３０〜３３がレール３，４の左右端部に備えられている。このストッパ３０〜３３は、切欠かれた溝であって、両端部で湾曲部を形成することにより、ノブ９，１０の先端部がストッパ３０〜３３に当り、嵌合部６，７の動きを規制するものである。
【００２４】
その他、便器部５の上面部に便座３５が設けてある。便座３５には蓋（図示略）を設けることができる。蓋に突起（図示略）を設け、突起を中材１４の凹部（図示略）に引っ掛けて、手すり８に立掛けるように止めることができる。また、前面部には、図４に示す通り、移動の際に利用する引き出し式取っ手３６が設けられ、前面部にＬＥＤを備える発光部３７が凹み３８の奥に形成されている。これにより、夜間の使用時に、電気をつけて部屋を明るくしなくても、使用者が足元を見ながら用が足せるし、眩しくないという効果もある。さらに、便器部５の裏面の前方の左右に一対のアジャスタ４０、後方の左右に一対のキャスタ４１が設けてある。
【００２５】
次に本実施形態のポータブル・トイレ１の使用方法を説明する。図６（ａ）に示す通り、使用者が便器部５から立つときに使用者の上半身が前方に傾斜した状態で手すり８につかまることができるので、使用者が高齢者などでも、自ら手の力を使って立ち上がることができる。大抵は、上半身が１１０〜１３０度位の前傾姿勢になる方が立ち上がりやすいからである。使用者の重心位置と支柱１１とを垂直線上にあるようにできるので、手すり８に加わる使用者の荷重が床面に対して垂直方向に加わり、便器部５が容易に転倒しない。また、介護者がいる場合でも、横について、手を添える程度のものでよいので、介護者の負担が大いに軽減される。一方、図６（ｂ）に示す通り、手すり８が奥側に退避した状態では、上半身が垂直な姿勢になるので、健常者は立ち上がれるが、高齢者などは、あまり力が出ないので、一人では使用困難な場合がある。また、介護者に余計な負担が加わることもある。ただし、使用者の体格・障害の程度によっては、図６（ｂ）の状態でも使用できる。
【００２６】
手すり８が支柱１１，１２と水平材１３〜１５で構成されるので、跳ね上がる構造とは異なり、破壊せず、安全性が高い。ノブ９，１０により手すり８の前後の位置決めができるので、使用者の利便性が向上する。
使用者の体格・障害の程度によって手すり８の前後の位置を調整できる。また、使用者が便座３５に着座時に簡単に手すり８の前後位置の調節ができる。排便姿勢時に重心を前方で支えられる。
【００２７】
片側の手すり８を取り除き、他方の手すり８だけでも使用できる。これにより、ベッドサイドなどで使用する際、使用者がいざることができる。また、介護者が居ると手すり８が邪魔になることがあり、片側の手すり８があると、抱きかかえられなくなることを防止できる。
手すり８の脱着作業はノブ９，１０を回すだけでよく、作業が容易である。例えば、両方の手すり８を取り外した後、再度、手すり８を取り付ける際にも迷うことなく取り付けることが可能である。
【００２８】
背もたれ２３と手すり８の上面とが同じ高さであるので、使用者が伝い歩きをすることができる。
【００２９】
レール３，４が上下２段式になっており、上下２段で固定するので、安全性が高い。
【００３０】
手すり８と背もたれ２３の隙間を手指より大きくすることにより、指の挟み込みを回避できる
【００３１】
ストッパー３０〜３３があるため、手すり８をスライドさせるとき、手すり８がレール３，４から抜け落ちることを防止できる。
【００３２】
便器部５の移動時に、邪魔にならないように手すり８を後退させ、収納状態で移動できる。
【００３３】
手すり８を簡単に着脱可能な構造であるので、ノブ９，１０を緩めるだけで、前後どちらの方向からでも取り外すことが可能である。ノブ９，１０で固定できるので、手すり８が便器部５から簡単に外れない。手すり８を跳ね上げようとしたり、持ち上げようとしても、ノブ９，１０で手すり８を便器部５に固定することで、手すり８は便器部５と一体になっているので、強度が増大する。２００Ｋｇ前後の荷重の負荷が加わっても、大丈夫であるような剛性をもたせている。更に、移動用のキャスタ４１が付いたポータブル・トイレ１であるので、便器部５と手すり８とを共に移動することができる。
【００３４】
便器部５の高さに合わせ、ノブ付きボルト１６，１７で手すり８の高さを調節できるので、手すり８上面の高さを一定に保つことができる。
【００３５】
使用者の手・肘・腕などが当たる部分の握り部上面に平坦面を設けることが好ましい。平坦面を設ける事により、痛みを伴わずに安全に使用することができる。
【００３６】
なお、レール３，４、嵌合部６，７、支柱１１，１２、ノブ付きボルト１６，１７、ストッパ３０〜３３、アジャスタ４０、キャスタ４１の数、配置、形状等は適宜変更することができる。ポータブル・トイレ１の構造材は木材で構成されている。
【図面の簡単な説明】
【００３７】
【図１】本発明の実施形態のポータブル・トイレ１の分解斜視図である。
【図２】本発明の実施形態のポータブル・トイレ１の便器部５と手すり８の取り付け構造を示す断面図である。
【図３】同ポータブル・トイレ１の手すり８が収容された状態の斜視図である。
【図４】図３で示す同ポータブル・トイレ１の取っ手が引き出された状態の斜視図である。
【図５】同ポータブル・トイレ１の手すり８が前方に引き出された状態の斜視図である。
【図６】（ａ）は図５の状態のポータブル・トイレ１の使用状態図、（ｂ）は図３の状態のポータブル・トイレ１の使用状態図である。
【符号の説明】
【００３８】
１・・・ポータブル・トイレ  ２・・・側面部  ３，４・・・レール  ３ａ，４ａ・・・金具
５・・・便器部  ６，７・・・嵌合部  ８・・・手すり  ９，１０・・・ノブ
１１，１２・・・支柱  １３〜１５・・・水平材  １６，１７・・・ノブ付きボルト
１８・・・連結板  ２０，２１・・・支持材  ２２・・・クッション
２３・・・背もたれ  ３０〜３３・・・ストッパ  ３５・・・便座
３６・・・取っ手  ３７・・・発光部  ３８・・・凹み
【図１】
2006325727.tif 000003
【図２】
2006325727.tif 000004
【図３】
2006325727.tif 000005
【図４】
2006325727.tif 000006
【図５】
2006325727.tif 000007
【図６】
2006325727.tif 000008